(57)【特許請求の範囲】
【請求項１】
伸縮性基材の一面に粘着剤層を形成した貼付材に、これよりも大きなセパレーターを上記粘着剤層を覆うように仮着し、該セパレーターには使用時にこれを剥取るためのスプリットを形成し、このスプリットは上記貼付材の上に重なる貼付材線部と、該貼付材線部の両端から延びて貼付材の外方で回曲する回曲線部と、該回曲線部と交叉しセパレーターの外縁部に至る外縁線部を備え、上記セパレーターを上記スプリットで折畳んだとき上記回曲線部が上記貼付材線部より外方へ突出するように形成した伸縮性貼着材。
【請求項２】
上記スプリットの貼付材線部と外縁線部は直線状に形成されていることを特徴とする請求項１記載の伸縮性貼着材。
【請求項３】
上記スプリットは複数個形成されていることを特徴とする請求項１または２記載の伸縮性貼着材。
【請求項４】
伸縮性基材の一面に形成した粘着剤層をセパレ−タ−で覆った貼着材原反を用意し、該セパレ−タ−上の基材にカット線を入れて所望形状の貼付材を形成し、上記貼付材と重なるセパレ−タ−部分に使用時に剥取るためのスプリットの貼付材線部とこの貼付材線部の両端から貼付材外方のセパレ−タ−部分で回曲する回曲線部を形成し、上記貼付材の外方に位置する粘着剤層を有する伸縮性基材を取除き、上記セパレ−タ−に上記スプリットの回曲線部と交叉しセパレ−タ−の外縁部に至る外縁線部を形成する伸縮性貼着材の製造方法。
【請求項５】
伸縮性基材の一面に形成した粘着剤層をセパレ−タ−で覆った貼着材原反を用意し、該セパレ−タ−上の基材にカット線を入れて所望形状の貼付材を一定間隔を置いて複数個並列に形成し、上記各貼付材と重なるセパレ−タ−部分に使用時に剥取るためのスプリットの貼付材線部とこの貼付材線部の両端から貼付材外方のセパレ−タ−部分で回曲する回曲線部を各々形成し、上記貼付材の外方に位置する粘着剤層を有する伸縮性基材を取除き、上記並列している貼付材の間のセパレ−タ−をカットし、上記セパレ−タ−に上記スプリットの隣接する回曲線部に交叉してこれを連結する及び該回曲線部と交叉してセパレ−タ−の外縁部に至る外縁線部を形成する伸縮性貼着材の製造方法。
【請求項６】
上記貼着材原反は長手方向に連続し、上記貼付材を上記原反の長手送り方向に沿って一定の間隔を置いて形成し、上記各スプリットを上記原反の長手方向と交叉する方向に形成したことを特徴とする請求項４または５記載の伸縮性貼着材の製造方法。
【発明の詳細な説明】
【０００１】
【発明の属する技術分野】
本発明はスプリットを設けたセパレ−タ−を備える伸縮性貼着材及びその製造方法に関する。
【０００２】
【従来の技術】
貼付材の粘着剤層をセパレ−タ−で覆った伸縮性の貼着材を形成する場合、セパレーター付の原反を長手方向に流しながら、スタンピング若しくはロ−ラ−でセパレーター上に貼付材を打抜くようにして形成している。そして、上記セパレ−タ−に、これを剥取り易くするするためのスプリットを設けようとするとき、長手方向に交叉するように設けると、原反を送るときに伸縮性の原反が伸ばされて上記スプリットの間が開き、正確な送りと位置決めができなくなって規格通りの製品を作ることが難かしいし、製造のスピ−ドを上げて効率化を図ることも難かしい。
【０００３】
【発明が解決しようとする課題】
本発明は、伸縮性貼着材の粘着剤層を覆っているセパレ−タ−に、これを剥し易くするために設けるスプリットの形状及びその作成方法に工夫をこらすことによって、使い易くかつ製造も容易なものを得ようとするものである。
【０００４】
【課題を解決するための手段】
本発明は、伸縮性基材の一面に粘着剤層を形成した貼付材の粘着剤層をこれよりも大きなセパレ−タ−で覆うように仮着し、該セパレ−タ−にスプリットを設ける。該スプリットは、セパレ−タ−の上記貼付材が貼付けられている位置に設けた貼付材線部と、該貼付材線部の両端から伸びて貼付材の外方で回曲するような回曲線部と、この回曲線部と交叉してセパレ−タ−の外縁部に至る外縁線部とによって形成している。
【０００５】
こうした伸縮性貼着材は、伸縮性の基材の一面に形成した粘着剤層をセパレ−タ−で覆った貼着材原反を用意し、該原反の基材にカット線を入れて所望形状の貼付材を形成し、次にセパレ−タ−に上記スプリットの貼付材線部と回曲線部を形成すると、このセパレ−タ−には未だスプリットの入っていない部分が残っているので原反を長手方向に正確に送ることができる。そして、貼付材の周りの基材のカス上げをし、上記回曲線部からセパレ−タ−の外縁部に至るスプリットの外縁線部を形成するが、この外縁線部は回曲線部と交叉していればよいので、貼付材線部より後に形成しても製造が容易となる。
【０００６】
【発明の実施の形態】
伸縮性を有する織物、編物、プラスチックシ−トその他の伸縮性基材の片面に粘着剤層を形成したものを、外反母趾矯正用テ−プ、サリチル酸絆創膏その他の用途に応じた所望の形状の貼付材１を形成する。図示のものは、中央部２を足裏に貼り、両端部３、３を足の甲側に貼付けて使用する外反母趾矯正用テ−プである。
この貼付材１の粘着剤層にはセパレ−タ−４を仮着して覆っており、このセパレ−タ−４は貼付材１よりも大きく形成していて、図示のものでは貼付材１の周りに張り出すような大きさに形成している。このセパレ−タ−はポリプロピレン、ポリエステルその他のプラスチックシ−ト、剥離剤を塗布した紙製の剥離紙その他の仮着される伸縮性基材によって変形しないような材料を使用するとよい。
【０００７】
上記貼付材１に仮着しているセパレ−タ−４には、このセパレ−タ−４を剥し易くするためのスプリット５を形成する。このスプリット５は、セパレ−タ−４の貼付材１が仮着されている部分に位置する貼付材線部６と、この貼付材線部６の両端からその外方のセパレ−タ−部分で回曲する回曲線部７と、この回曲線部７に交叉しセパレ−タ−４の外縁部９に至る外縁線部８によって形成されており、上記３種の線部によって一本につながっている。図示の伸縮性貼着材１０には、長手方向に間隔を置いて２本のスプリット５を設けている。
【０００８】
こうして形成した伸縮性貼着材１０は、上記貼付材１を外側にしてスプリット５の部分で各々折畳むと、全体が小さくなるのでコンパクトな箱や袋に収納することができるから、包装、運搬、展示、販売等の際に都合がよい。また、これによって伸縮性基材の変形を防ぐことができ、また上記回曲線部７が折畳まれた貼付材１の外方へ突出するようになるので貼付材を保護することができる（図３）。
【０００９】
この伸縮性貼着材１０を使用する場合、折畳まれているセパレ−タ−４を開くとスプリット５の部分から容易にセパレ−タ−を剥ぎ取ることができる。図示のものでは、先づ貼付材の中央部２に位置するセパレ−タ−を剥して足裏に貼付け、それから両端部３に位置するセパレ−タ−を剥して足の表側に貼付けるようにすると使用し易いことが多い。
【００１０】
このような伸縮性貼着材１０は、例えば次のようにして製造することができる。
伸縮性を有する基材の一面に形成した粘着剤層をセパレ−タ−で覆った貼着材原反１６を用意し、上記基材にカット線１７を入れて所望の形状の貼付材１を形成する。上記カット線１７は基材を貫通し、セパレ−タ−４の中で止まるようなハ−フカット線にするとよい（図４）。
【００１１】
次に、上記セパレ−タ−４にスプリット５を設けるが、先づ貼付材１の位置する部分の貼付材線部６と、該貼付材線部６の両端から外方へ延びて回曲状態になる回曲線部７を同時に形成する。このときセパレ−タ−４は両線部６、７によって全部が切離されておらず、外縁部側にスプリットの無い部分が残っているので、原反を引張ってもバラバラになったり、延びたりするようなことはない。通常こうした貼着材は、原反を長手方向に送りながら、ロ−ラ−式のカッタ−や型によって製造したり、スタンピング式のカッタ−や型によって製造したりするが、上記の如くセパレ−タ−は未だ一部でつながっているので、原反の送りもスム−ズに行うことができ、伸縮性基材から正確な形状の貼付材を形成することができる（図５）。
【００１２】
次に、原反の基材中にカットされた貼付材１の周りの部分１８を取除き、いわゆるカス上げを行う（図５、図６）。
そして上記スプリットの回曲線部７と交叉し、セパレ−タ−４の外縁部９に至る外縁線部８を設けると、これによって一本につながったスプリット５が完成する。この外縁線部８は、上記した貼付材線部６や回曲線部７より後で形成されるが、回曲線部７と交叉することによって連続するスプリット５が形成されるので、仮に若干のズレが生じても確実にスプリットを形成することができ、製造が容易となる（図７）。
また、各貼付材１の間のセパレーター４に切線１９を設けると、１個づつの伸縮性貼着材１０となる。
【００１３】
上記貼着材原反１６に貼付材１を一定間隔を置いて複数個のものを並列した状態で、長手方向に送りながら製造することもできる。
この場合には、上記と同様に貼着材原反１６の基材にカット線１７を入れて並列する所望形状の貼付材１を形成する（図８）。
次に、上記セパレ−タ−４に貼付材１の位置する部分のスプリットの貼付材線部６と、該貼付材線部６の両端から外方へ延びて回曲状態になる回曲線部７を同時に形成する（図９）。
【００１４】
更に、貼付材１の周りの原反部分１８を取除き、いわゆるカス上げを行い（図９、図１０）、並列する貼付材１、１間のセパレ−タ−を長手方向にカット２０してセパレ−タ−の外縁部９を形成する（図１１）。
その後で上記カット２０を通過して回曲線部７、７間同志及び回曲線部７からセパレ−タ−の外縁部９へ延びる外縁線部８を設ける。また、各貼付材１の間のセパレーター４に切線１９を設けて１個づつの伸縮性貼着材１０とすることができる（図１２）。
また、上記カス上げは外縁線部８を設ける直前の段階で行うこともできる。
【００１５】
図１３に示すものは基部３１から延びて二股状に分かれた端部３２、３２を有する外反母趾矯正用の貼付材３３である。この貼付材３３では上記と同様に粘着剤層にセパレ−タ−３４を仮着して覆っており、このセパレ−タ−３４には貼付材線部３５と回曲線部３６、３６と外縁線部３７、３７を含むスプリット３８を設けている。
尚、端部３２側のセパレ−タ−を剥し易くするために、貼付材線部３５から延びて両端部３２、３２を２分するようなセンタ−カット３９を更に設けている。
こうした伸縮性貼着材３０は、上記スプリット３８やセンタ−カット３９からセパレ−タ−３４を剥ぎ取ると、両端部３２、３２もきれいに剥がれるので、二股状の一方の端部３２を親指の裏側から甲側へ、他方の端部３２を親指の甲側から裏側へ軽く引っ張りながら親指に巻付け、親指を正しい位置に戻すように基部３１を引っ張りながら足の側方に貼付けるようにして使用するものである。
そして、この伸縮性貼着材３０も上記と同様にして製造することができる。
【００１６】
図１４に示すものは、図１３に示すものよりも小さく、基部４１から延びて二股状に分かれた端部４２、４２を有する小指の外反母趾矯正用の貼付材４３である。この貼付材４３も上記と同様に粘着剤層にセパレ−タ−４４を仮着して覆っており、このセパレ−タ−４４には貼付材線部４５と回曲線部４６、４６と外縁線部４７、４７を含むスプリット４８を設けている。また、センタ−カット４９も同様に形成している。
こうした伸縮性貼着材４０は、上記と同様にスプリット４８とセンタ−カット４９からセパレ−タ−４４を剥ぎ取り、二股状の一方の端部４２を小指の甲側から裏側へ、他方の端部４２を親指の裏側から甲側へと軽く引っ張りながら小指に巻付け、小指を正しい位置に戻すように基部４１を引っ張りながら足の側方に貼付けるようにして使用するものである。
そして、この伸縮性貼着材４０にあっても上記と同様にして製造することができる。
更に、同様にして各種の伸縮性貼着材を形成することができる。
【００１７】
【発明の効果】
本発明は上記したように、貼付材が貼付されている位置のセパレ−タ−に設けたスプリットの貼付材線部の外方に続く部分が回曲線部となっているので、このスプリットの部分で折曲げたときにこの回曲部分が外方へ突出するようになって伸縮性の貼付材を保護することができる。また、上記スプリットを形成するときに、上記回曲線部を存在するので、外縁線部を設けることが容易に行えるようになり、製造の効率を上げることができる。
【図面の簡単な説明】
【図１】本発明の実施例の伸縮性貼着材を示す正面図である。
【図２】図１に示す伸縮性貼着材の背面図である。
【図３】図１に示す伸縮性貼着材をスプリットで折り畳んだ状態を示す斜視図である。
【図４】図１に示す伸縮性貼着材の製造方法を示す説明図である。
【図５】図４の次の工程を示す説明図である。
【図６】図５の次の工程を示す説明図である。
【図７】図６の次の工程を示す説明図である。
【図８】図１に示す伸縮性貼着材の他の製造方法を示す説明図である。
【図９】図８の次の工程を示す説明図である。
【図１０】図９の次の工程を示す説明図である。
【図１１】図１０の次の工程を示す説明図である。
【図１２】図１１の次の工程を示す説明図である。
【図１３】本発明の他の実施例の伸縮性貼着材を示す正面図である。
【図１４】本発明の更に他の実施例の伸縮性貼着材を示す正面図である。
【符号の説明】
１    貼付材
２    貼付材の中央部
３    貼付材の端部
４    セパレ−タ−
５    スプリット
６    スプリット貼付材線部
７    スプリット回曲線部
８    スプリット外縁線部
９    セパレ−タ−の外縁部
１０  伸縮性貼着材
１６  貼着材原反
１７  カット線
１９  切線
２０  カット
【図１】
0003598494.tif 000002
【図２】
0003598494.tif 000003
【図３】
0003598494.tif 000004
【図４】
0003598494.tif 000005
【図５】
0003598494.tif 000006
【図６】
0003598494.tif 000007
【図７】
0003598494.tif 000008
【図８】
0003598494.tif 000009
【図９】
0003598494.tif 000010
【図１０】
0003598494.tif 000011
【図１１】
0003598494.tif 000012
【図１２】
0003598494.tif 000013
【図１３】
0003598494.tif 000014
【図１４】
0003598494.tif 000015